(57)【要約】【課題】    マッサージ椅子において、マッサージ手段が設けられた背もたれ部に簡便に配置することが可能な、当て板部材を設けて、マッサージ手段を使用しないときの座り心地を向上すると共に、マッサージ手段を使用する際、当て板部材を、簡単に背もたれ部から取り除くことを可能とする。【解決手段】  本願発明に係るマッサージ椅子は、座部１０と、座部１０後方に設けられた背もたれ部２と、背もたれ部２に設けられたマッサージ手段３とを備えたものであり、表面にマットレス等のクッション材を有するを当て板部材４が、座部１０に、軸止されている。当て板部材４は、座部１０の上面を覆う位置に配置可能であり、且つ、回動により座部１０上面から背もたれ部２正面を覆う位置に変位可能である。【選択図】          図１
2005160824.tif 000002
【特許請求の範囲】
【請求項１】
座部と、座部後方に設けられた背もたれ部と、背もたれ部に設けられたマッサージ手段とを備えたマッサージ椅子において、
上記座部と背もたれ部との間には、表面にマットレス等のクッション材を有する当て板部材が配置され、
当該当て板部材の基端は、上記の座部の後端寄りの位置及び背もたれ部の基端寄りの位置を中心として回動可能に設けられ、当て板部材の先端は、当て板部材の基端を中心として回動することが可能な自由端とされ、
当て板部材は、座部の上面に配位されることにより、その上に利用者の臀部を載せることが可能であり、且つ、上記回動にて座部上面から背もたれ部正面に位置を変えることにより利用者の背中を受けることが可能であることを特徴とするマッサージ椅子。
【請求項２】
背もたれ部の上端には、背もたれ部と別体に形成された枕部材が、回動可能に取り付けられ、
枕部材は、クッション材にて形成され且つ背もたれ部の正面側に垂下することが可能であり、回動にて座部上面から背もたれ部正面に配位された当て板部材と共に、背もたれ部正面を覆うことが可能なものであることを特徴とする請求１記載のマッサージ椅子。
【請求項３】
当て板部材には、座部上面に配置した状態において、座部より前方へ突出する延設部が設けられ、
延設部は、基部に関節部を備え、延設部先端の向きを上下について変更可能としたものであることを特徴とする請求項１又は２記載のマッサージ椅子。
【発明の詳細な説明】
【技術分野】
【０００１】
本願発明は、マッサージ椅子に関するものである。
【背景技術】
【０００２】
近年、座ることによって、マッサージを受けることが可能なマッサージ椅子が普及している。
このようなマッサージ椅子は、背もたれ部や座部に、ローラの回転や振動或いは空気圧を利用して利用者の身体をマッサージするマッサージ手段を備えるものが一般的である。
このようなマッサージ椅子には、背もたれ部のみにローラ回転などによるマッサージ手段を設けて、リクライニング椅子などの通常の椅子としても使用可能な、簡易なタイプのものも普及しつつある。
【０００３】
ところが、この種の、通常の椅子を兼ねる簡易なマッサージ椅子において、椅子として使用する際に、背もたれ部に内設されたローラなどのマッサージ手段の構成部材が、背中に違和感を生じさせ、座り心地を悪いものとしていた。
このため、椅子と別体に形成されたクッションシートやカバーを用いて、座り心地の改善を図ったものが種々提案されている（特許文献１〜３）。
【０００４】
【特許文献１】特開平１０−２９５７５７号公報
【特許文献２】特開２０００−３５０７５８号公報
【特許文献３】特開２００１−２１２１９４号公報
【０００５】
しかし、このようなシートやカバーを備えた椅子において、背中にマッサージを施す際に（マッサージ椅子として使用する際に）は、邪魔になるので、シートやカバーを椅子から取り外して、他へ置いて（収納して）おかなければならない。一方、再び通常の椅子として使用するときは、他から当該カバーを引っ張り出して、再度椅子に取り付ける必要があった。
このようなカバーの付け外しは面倒な作業であり、椅子の簡易性が損なわれる。また、外したカバーの収納場所も必要となる。
【発明の開示】
【発明が解決しようとする課題】
【０００６】
本願発明は、マッサージ手段が設けられた背もたれ部に簡便に配置することが可能な、当て板部材を設けて、マッサージ手段を使用しないときの座り心地を向上すると共に、マッサージ手段を使用する際、当該当て板部材を、簡単に背もたれ部から取り除くことを可能として、上記課題の解決を図った。
【課題を解決するための手段】
【０００７】
本願の第１の発明に係るマッサージ椅子は、座部１０と、座部１０後方に設けられた背もたれ部２と、背もたれ部２に設けられたマッサージ手段３とを備えたものについて、次の構成を採る。
即ち、上記座部１０と背もたれ部２との間には、表面にマットレス等のクッション材を有する当て板部材４が配置されている。当該当て板部材４の基端は、上記の座部１０の後端寄りの位置及び背もたれ部２の基端寄りの位置を中心として回動可能に設けられ、当て板部材４の先端は、当て板部材４の基端を中心として回動することが可能な自由端とされている。当て板部材４は、座部１０の上面に配位されることにより、その上に利用者の臀部を載せることが可能であり、且つ、上記回動にて座部１０上面から背もたれ部２正面に位置を変えることにより利用者の背中を受けることが可能である。
ここでいう「座部１０の後端寄りの位置」とは、椅子の前後方向について、座部１０の中央位置よりも、後方にあるということであり、また、「背もたれ部２の基端寄りの位置」というのは、椅子の上下方向について、背もたれ部２の中央位置よりも下方にあるということである。特に、上記の位置は、当て板部材４の基端について、座部１０や背もたれ部２のクッション材の厚みなどに妨げられず、当て板部材４が座部１０の上面に利用者の臀部を載せることが可能に配位でき、また、その位置から背もたれ部２正面に利用者の背中を受けることが可能に位置に回動にて変位できる範囲にあればよい。
従って、このような範囲において、当て板部材４の基端が設けられておれば、座部１０の後端寄りの位置は、座部１０の後端よりも後方であってもよく、また、背もたれ部２の基端寄りの位置も、背もたれ部２の基端よりも下方であってもよい。
【０００８】
本願第２の発明に係るマッサージ椅子は、上記本願第１の発明に係るマッサージ椅子にあって、背もたれ部２の上端には、背もたれ部２と別体に形成された枕部材５が、回動可能に取り付けられている。枕部材５は、クッション材にて形成され且つ背もたれ部２の正面側に垂下することが可能であり、回動にて座部１０上面から背もたれ部２正面に配位された当て板部材４と共に、背もたれ部２正面を覆うことが可能なものである。
【０００９】
本願第３の発明に係るマッサージ椅子では、上記本願第１又は第２の発明に係るマッサージ椅子にあって、当て板部材４には、座部１０上面に配位した状態において、座部１０より前方へ突出する延設部４１が設けられている。延設部４１は、基部に関節部を備え、延設部４１先端の向きを上下について変更可能としたものであることを特徴とする。
【発明の効果】
【００１０】
本願第１乃至第３の発明の実施によって、座部に軸止された当て板部材について、マッサージを行う際には、座部の上面に配位せしめて座布団の如く使用でき同時に、背もたれ部を当て板部材から開放することができる。即ち、マッサージを行うとき、当て板部材は、座部上面に配置することによって邪魔にならず、椅子から、当て板部材を取り外す作業が不要である。このため、マッサージを行う際に、外した当て板部材を他へ収納するという手間をとる必要がない。
そして、マッサージを行わないときは、当て板部材を回動して、背もたれ部側に、当て板部材を移動させ、背もたれ部正面を当該当て板部にて覆うことができる。従って、取り付けの手間なく、当て板部材を背もたれ部に配位でき、簡便に、マッサージ手段による違和感を緩和した。
このように、本願発明の実施により、通常の椅子を兼ねる簡易なマッサージ椅子において、マッサージ椅子としての使い勝手と、通常の椅子としての座り心地という相反する効果を、簡便に両立し得たものである。
特に、本願第２の発明に係るマッサージ椅子にあっては、上記の効果に加えて、枕部材を設けることによる通常の椅子として座り心地を更に向上し、よりリラックスできるものとした。また、外観上も、斬新なデザインを呈するものである。その上で、マッサージの際など不要なときには、背もたれ部の背面側に垂下させることにより、背もたれ部の正面から、簡単に除くことができる。
更に、本願第３の発明に係るマッサージ椅子にあっては、上記の効果に加えて、延設部の形成により、座部側に、当て板部材を配位させた際に、足を載せて置くことができ、座り心地をより一層向上した。特に、延設部先端の向きを上下について異なる位置に固定することが可能であり、これによって、膝の曲げ伸ばしに対応でき、利用者は、より一層リラックスすることができる。
【発明を実施するための最良の形態】
【００１１】
以下、図面を参照しつつ、本願発明の好ましい実施の形態について、説明する。図１及び図２へ本願発明の一実施の形態に係るマッサージ椅子を示す。
図１（Ａ）は当て板部材４を基台部１上面に配置した状態を示す当該マッサージ椅子の全体斜視図であり、図１（Ｂ）は当て板部材４を背もたれ部２の正面に配置した状態を示すマッサージ椅子の全体斜視図である。図２は、図１に示すマッサージ椅子の要部分解斜視図である。
説明の便宜上、各図中、Ｕは上方を、Ｓは下方を、Ｆは前方を、Ｂは後方を、Ｒは右方を、Ｌは左方を、夫々示している。
【００１２】
図１及び図２へ示す通り、このマッサージ椅子は、基台部１と、基台部１後方に設けられた背もたれ部２と、背もたれ部２に設けられたマッサージ手段３と、当て板部材４とを備える。
【００１３】
以下、各部の構成について順に説明する。
図１に示す通り、基台部１は、利用者の臀部を受ける座部１０と、座部１０を支持する脚部１１と、軸部１２（図２）とを備える。
この実施の形態において、基台部１は、更に、座部１０の左右に利用者の腰の左右と対応する隆起部１３，１３を備えている。この隆起部１３，１３は、座部１０の左右から、背もたれ部２の左右にかけて伸びている。
座部１０は、（表面を覆う布や革の下に、）芯材と少なくとも当該芯材の上面を覆うクッション材とを備える。
背もたれ部２は、利用者の背中を受ける部分を構成するものであり、上記の基台部１（座部１０）の後部に、基台部１と一体に形成されている。背もたれ部２正面側に、上記のマッサージ手段３が内設されており、椅子に座った利用者の背中をマッサージすることができる（この実施の形態では、図１に示す通り、椅子の表面を覆う装飾用の布や革に覆われて、マッサージ手段３は、外部には露出しない）。
また、背もたれ部２も、（表面を覆う布や革の下に、）芯材と、芯材の少なくとも正面を覆うマットレスなどのクッション材とを備える。
当て板部材４は、平面視矩形の板状体である。当て板部材４の基端部は、上記軸部１２にて、基台部１に軸止され、当該軸部１２を中心として、当て板部材４の先端側を回動することにより、当て板部材４の位置を、基台部１上面から背もたれ部２正面に、或いはその逆に、変更することができる。即ち、当て板部材４の基端は、上記の座部１０の後端寄りの位置又は背もたれ部２の基端寄りの位置を中心として回動可能に設けられ、当て板部材４の先端は、当て板部材４の基端を中心として回動することが可能な自由端とされており、当て板部材４は、座部１０の上面に配位されることにより、その上に利用者の臀部を載せることが可能であり、且つ、上記回動にて座部１０上面から背もたれ部２正面に位置を変えることにより利用者の背中を受けることが可能である。
当て板部材４も、基台部１や背もたれ部２と同様、（表面を覆う布や革の下に、）芯材と、芯材の少なくとも表裏を覆うクッション材とを備える。即ち、当て板部材４は、芯材にて型崩れせず、回動に際しても、その形状を維持する。
【００１４】
当該椅子について、更に詳しく述べる。
図２へ示すように、座部１０と及び隆起部１３，１３と、背もたれ部２の夫々の芯材は、一つの枠体ａにて一体に形成されている。この図２において、椅子表面に張られる布や革、クッション材などは（一部を除いて）、取り除いた状態に描いてある。
背もたれ部２の芯材となる部位２ａに、上記マッサージ手段３が取り付けられる。
マッサージ手段３は、この実施の形態において、図２へ示すように、枠体ａの背もたれ部２の芯材となる部位２ａに設けられた枠部３０と、枠部３０内を上下に摺動可能に取り付けられた可動体３１と、可動体３１に備えられた出没部材３２とにて構成されている。出没部材３２は、可動体３の正面から出没してマッサージを行う部材である。マッサージ手段３は、電気の供給を受けてモータなどの駆動手段を駆動することにより、上記の可動体３１の摺動や出没部材３２の出没を行う（電源及び電気コードなどの構成は、図示を省略する）。図２中、３３はマッサージ手段３の操作部を示している。枠体ａの背もたれ部２の芯材となる部位２ａの背面側には、マッサージ手段３を覆うハウジング２１が配設される。
【００１５】
枠体ａの座部１０の芯材となる部位は、前後に配置された２つの受け板１１ａ，１１ｂと、当該受け板１１ａ，１１ｂの上に配設される座板１１ｃとにて構成される。前後に配置された２つの受け板１１ａ，１１ｂのうち、後方に位置する受け板１１ｂに、前記当て板部材４の芯材４ａが軸止される。
この当て板部材４の芯材４ａの軸止について、具体的に説明する。
当て板部材４の芯材４ａは、矩形状（Ｕ字状）に曲げ加工された金属製のパイプであり、ポリエチレンなどの樹脂製のシート４ｂが渡されている。上記後方の受け板１１ｂの上面には、先ず、軸止用金具１６が固定される。軸止用金具１６は、その左右に上方へ突出する軸受用片１６ａ，１６ａが形成されている。上記の軸止用金具１６固定後、当該受け板１１ｂの上面には、座板１１ｃが固定される。上記の座板１１ｃは、上面にクッション材が貼られている。そして、上記当て板部材４の芯材４ａ（上記パイプ端部）が、この軸受用片１６ａ，１６ａへボルトなどの軸部１２，１２にて軸止される。
このような構造を採ることにより、前述の通り、当て板部材４の位置を、利用者の手動で、簡単に、座着座１０の上面（図１（Ａ））から、背もたれ部２の正面（図１（Ｂ））に変えることができる。
尚、この実施の形態において、枠体ａの下部、即ち、座部１０の芯材となる部位の下部には、上記の脚部１１が設けられる。
【００１６】
図１（Ａ）に示す通り、この実施の形態において、基台部１の上部に、当て板部材４を配した状態において、当て板部材４の先端には、基台部１（座部１０）よりも前方に突出する延設部４１が形成されている。即ち、当て板部材４は、座部１０に対応する主部４０と、座部１０より前方に延設された延設部４１とにて構成されており、足を伸ばして座ることができる。延設部４１を形成することにより、当該延設部４１に足を載せることができる。この実施の形態において、延設部４１については、（基台部１上部に対応させた当て板部材４において）当て板部材４が上方に山形となるような角度を持って形成されている。このような当て板部材４を回動して、背もたれ部２正面に配置した際、図１（Ｂ）へ示すように、利用者の頭部と対応する部位が、前方に隆起した状態となり、枕として利用することができる。
マッサージ手段３の操作部３３は、利用者においてマッサージ手段をコントロールすることが可能なリモートコントローラである。図１に示すように、マッサージ椅子の表面にポケットを設けて、操作部３３を収納するようにすれば、便利である。
【００１７】
マッサージ手段３は、利用者の体にマッサージ効果を与えるものであれば、周知の何れの手段を採用してもよく、図２に示すものに限定するものではない。例えば、ローラの回転や振動によるものの他、空気圧を利用して利用者の体を加圧するものなど、周知の何れの手段を採用してもよい。空気圧を利用するものとしては、袋体（エアバッグ）を空気で伸縮してマッサージを行うものをマッサージ手段３に、採用することができる。但し、このようなエアバッグを用いるものは、大掛かりなマッサージ椅子となるので、簡易なマッサージ椅子としては、上記図２に示すマッサージ手段３を採用するのが好ましい。
【００１８】
図３〜図５を用いて、他の実施の形態について説明する。図３（Ａ）は当て板部材４を基台部１上部に配置した状態を示すマッサージ椅子の全体斜視図であり、図３（Ｂ）は当て板部材４を基台部１上面から起こした状態を示す当該マッサージ椅子の全体斜視図である。図４（Ａ）は当て板部材４を背もたれ部２正面側に配置した状態を示す当該マッサージ椅子の全体斜視図であり、図４（Ｂ）は図３（Ｂ）に示すマッサージ椅子の側面図である。図５は、このマッサージ椅子の分解斜視図である。
既述の図１及び図２に示すマッサージ椅子は、座部１０の左右に隆起部１３，１３を備えたバケットタイプのものであった。この図３〜図５に示すマッサージ椅子は、隆起部１３，１３を備えないベンチタイプのものである。
【００１９】
この実施の形態において、脚部１１に、軸部１２，１２が設けられる。
また、この実施の形態において、脚部１１は、円弧状に湾曲した２本の棒状体１１ａ，１１ａにて構成される。各棒状体１１ａ，１１ａ同士は、左右に間隔を開けて配列されている。円弧状の棒状体１１ａ，１１ａは、夫々上方に向けて凸状となるように配置され、両端が床に対面する。
図５へ示す通り、両棒状体１１ａ，１１ａの間には、両者を一体に結合する、前桟１１ｂと、後桟１１ｃとが設けられている。後桟１１ｃは、両棒状体１１ａ，１１ａの後端間に渡されたものである。
また、棒状体１１ａ，１１ａの夫々には、前後方向に沿って水平に伸びる座受け棒１１ｄが設けられている。各座受け棒１１ｄ，１１ｄの先端は、前桟１１ｂと一体となっている。この座受け棒１１ｄ，１１ｄと前桟１１ｂとに、座部１０の底面が、ネジ留めなどの周知の固定手段にて取り付けられる。即ち、座受け棒１１ｄ，１１ｄと前桟１１ｂとが、背もたれ部２が一体に形成された座部１０を支持する。
棒状体１１ａ，１１ａは、座受け棒１１ｄ，１１ｄが設けられた位置よりも上方の位置に、軸受孔１１ｅ，１１ｅを備える。
当て板部材４の基端の左右には、軸部１２，１２先端を受容する留穴４２，４２が設けられている。軸部１２，１２は、夫々軸受孔１１ｅ，１１ｅに通され、当該留穴４２，４２に螺合する。これにて、当て板部材４は、基台部１に軸止されるのである。
この図３〜図５へ示す実施の形態では、図５へ示す通り、別体に形成された枕部材５が面ファスナ５１を利用して、背もたれ部２の上端に取り付けられる。詳しくは、枕部材５は、クッション材にて形成され、枕部材５の下部に布製の首部５０が設けられ、当該首部５０の先端に上記面ファスナ５１が設けられる。
利用者が枕を必要とするとき、図３及び図４へ示すように、枕部材５を背もたれ部２の正面に垂下させて使用し、不要なときは、枕部材５を背もたれ部２の背面側に垂下させるか、或いは面ファスナ５１を背もたれ部２から外して背もたれ部２から枕部材５を分離すればよい。
上記図３〜図５に示す実施の形態について、特に言及しない構成については、図１及び図２に示す実施の形態と同様である。
【００２０】
上記の各実施の形態では、座部１０と背もたれ部２とは、一体に形成され、座部１０は、背もたれ部２に対してその向きを変えるものではなかった。
一方、これに対して、未使用時に、座部１０を背もたれ部２に畳むことを可能として利便性の向上を図ってもよい。
以下、このような折り畳みの構造を備えたマッサージ椅子について、図６〜図１２を用いて説明する。図６（Ａ）は当て板部材４を基台部１（座部１０）上部に配置した状態を示すマッサージ椅子の全体斜視図であり、図６（Ｂ）は当て板部材４を基台部１（座部１０）から起こした状態を示す当該椅子の全体斜視図である。図７（Ａ）は当て板部材４を背もたれ部２の正面に配置した状態を示す上記椅子の全体斜視図であり、図７（Ｂ）は当て板部材４と共に座部１０を背もたれ部２側に畳んだ状態を示す当該椅子の全体側面図である。図８（Ａ）は座部１０を背もたれ部２から開いた状態を示す当該椅子の全体側面図であり、図８（Ｂ）は当該椅子の要部分解斜視図である。図９は、当該椅子の分解斜視図である。図１０は、未使用時に当該椅子を運搬或いは収納するのに適した状態とした全体側面図である。図１１（Ａ）は主として当て板部材４及びその延設部４１の芯材を示す斜視図であり、図１１（Ｂ）はその要部分解斜視図である。図１２（Ａ）〜（Ｄ）は、夫々、図１１（Ｂ）に示す延設部４１の芯材の、向きの変更状態を示す要部側面図である。
【００２１】
このマッサージ椅子は、背もたれ部２に対して、座部１０が軸止され、背もたれ部２に対して、座部１０を折り畳み自在としている。また、脚部１１に対しては、背もたれ部２のみが固定されている。
以下、具体的に説明する。
この脚部１１について、湾曲した２本の棒状体１１ａ，１１ａを主要部とし、前桟１１ｂ及び後桟１１ｃを備える点で、図３〜図５に示すマッサージ椅子と同様であるが、座受け棒１１ｄ，１１ｄを備えない点、及び固定用板部１４，１４を備える点で、図３〜図５に示すマッサージ椅子と異なる（図９）。
図８（Ｂ）及び図９へ示す通り、上記の固定用板部１４，１４は、両棒状体１１ａ，１１ａの背もたれ部２の左右側面と対応する部位に形成されている。固定用板部１４，１４には、貫通孔１４ａ，１４ａが形成されている。
一方、背もたれ部２の左右の側面には、上記貫通孔１４ａ，１４ａに対応する位置に、ネジ孔２４，２４設けられている。具体的には、図８（Ｂ）に示す通り、背もたれ部２の側面には、脚部対応金具２３，２３が取り付けられている。上記のネジ孔２４，２４は、この脚部対応金具２３に設けられている。
この貫通孔１４ａ，１４ａに、ネジ或いはボルトといった留具１５…１５（図９）を通し、当該留具１５…１５を、上記ネジ孔２４，２４に螺合する。このようにして、背もたれ部２を脚部１１に固定することができる。
【００２２】
上記の脚部対応金具２３には、上記のネジ孔２４，２４以外に、貫通穴２２が設けられている。詳しくは、脚部対応金具２３には、背もたれ部２の正面側に突出する突出部２３ａが設けられており、この突出部２３ａに上記の貫通穴２２が設けられている。
また、前述の実施の形態（図２）と同様、軸止用金具１６の軸受用片１６ａ，１６ａが、座部１０の後部左右から、上方に突出する（図８（Ｂ））。
この軸受用片１６ａ，１６ａには、挿通用穴１７，１７が設けられている。前述の軸部１２，１２は、上記の貫通穴２２と挿通用穴１７，１７とに通されると共に、前述の留穴４２，４２に螺合する。
これにて、座部１０は、背もたれ部２に軸止され、また、同時に、当て板部材４は、座部１０に軸止される。即ち、この実施の形態において、上記の軸部１２，１２は、当て板部材４の回動軸と、座部１０の背もたれ部２に対する回動軸とを兼ねるものである。
【００２３】
図７（Ｂ）へ示す通り、椅子を使用しないときは、背もたれ部２に、当て板部材４と共に座部１０を重ねておくことができる。
使用に際しては、図８（Ａ）に示すように、背もたれ部２から、座部１０を開いてやればよい。脚部１１の前桟１１ｂは、当たりとなって、座部１０を開くことが可能な範囲を規制すると共に、開かれて着座可能な状態となった着座１１の底面を支持する。
また、当該椅子を運搬する場合や収納する場合、更には梱包する場合など、図１０に示す通り、留具１５…１５を外して、背もたれ部２と、脚部１１とを分離して畳めば、嵩を低くすることができ、便利である。
この実施の形態において、座部１０を回動して、背もたれ部２に重ねるものとした。この他、背もたれ部２を座部１０に回動して、座部１０と背もたれ部２を重ねるものとしても実施可能である（図示しない）。
【００２４】
図８（Ａ）へ示す通り、この椅子は、当て板部材４の延設部４１の上下の向きを変えることができる。図８（Ａ）において、二点鎖線は、（実践で示す位置以外に）当て板部材４が採りうる配置を示している。
図８（Ａ）へ示す通り、延設部４１は、基端（基部）に関節部４３を備える。即ち、延設部４３は、関節部４３を介して、当て板部材４の主部４０先端に設けられている。以下、この関節部４３を中心とする構成について、図１１及び図１２を用いて説明する。
【００２５】
図１１（Ａ）は当て板部材４の芯材４ａを示しており、図１１（Ｂ）は関節部４３の分解斜視図を示している。図１１（Ａ）に示す通り、当て板部材４の芯材４ａは、主部４０の芯材４０ａと、延設部４１の芯材４１ａとにて構成されている。図２に示す実施の形態と同様、当て板部材４の芯材４ａは、軸止用金具１６の軸受用片１６ａ，１６ａに軸部１２，１２にて、軸止されている。
【００２６】
詳しくは、当て板部材４の主部４０の芯材４０ａは、上記の軸受用片１６ａ，１６ａに、軸部１２，１２にて軸止されている。延設部４１の芯材４１ａは、主部４０の芯材４０ａと別体に形成された枠体である。図１１（Ｂ）へ示す通り、主部４０ａの芯材４０ａと延設部４１の芯材４１ａの、何れか一方には受容部４４が設けられ、何れか他方には受容部４４に受容される挿入部４５が設けられている。この実施の形態において、受容部４４は、主部４０の芯材４０ａの先端から前方に向けて開口する中空部分である。挿入部４５は、延設部４１の芯材４１ａ後端から後方に伸びる板状部である。受容部４４にの開口部４４ａの左右には、前方へ突出する突出片４４ｂ，４４ｂが設けられている。突出片４４ｂ，４４ｂは、その基部側から先端側に向かうにつれて上下の幅を漸次小さくする先細りの板状体である。突出片４４ｂ，４４ｂの夫々には、左右に貫通する孔４４ｃ，４４ｃが形成されている。一方上記の挿入部４５には、左右に貫通し、前後に伸びる長孔４５ａが形成されている。
【００２７】
上記の挿入部４５を受容部４４へ挿入し、孔４４ｃ，４４ｃに軸４６を固定する。この軸４６は、受容部４４内へ挿入された上記挿入部４５の長孔４５ａに通されている。軸４６が長孔４５ａへ通されることにより、軸４６が当たりとなって、挿入部４５の受容部４４に対する前後方向の摺動範囲が規定される。従って、当該軸４６が受容部４４から挿入部４５が脱落するのを防止する。
主部４０の芯材４０ａ及び延設部４１の芯材４１ａには、夫々係止部４７，４８が設けられている。係止部４７，４８は、夫々芯材４０ａ，４１ａの右側又は左側へ突出する突起部である。両係止部４７，４８には、バネなどの弾性体４９が取り付けられる。弾性体４９は、両係止部４７，４８間の間隔を縮める方向に作用するものであり、引きばね（圧縮ばね）を用いて実施するのが好ましい。
このような弾性体４９の作用によって、受容部４４内に挿入された挿入部４５は、受容部４４の奥へ向けて常時付勢される（図１２（Ａ））。
【００２８】
次に、延設部４１の向きを変更する方法について説明する。
図１２（Ａ）に示す、受容部４４内に挿入部４５が完全に挿入された状態とすることによって、延設部４１は、図８（Ａ）に示す前方に先端を伸ばした状態（姿勢ｔ１）となる。図１２（Ｂ）に示す通り、利用者が延設部４を前方に引っ張り、挿入部４５を、上記弾性体４９の付勢に抗して、受容部４４から引き出す。挿入部４５を受容部４４から引き出すことにより、延設部４１（芯材４１ａ）は、軸４６を中心として回動することが可能となる。そして、このような延設部４１（芯材４１ａ）について、図１２（Ｃ）へ示す通り、その先端側を下方に向けるように回動する。延設部４１（芯材４１ａ）を直角に曲げると（延設部４１の先端を真下に向けると）、図１２（Ｄ）へ示す通り、弾性体４９の付勢にて、挿入部４５の底部が受容部４４の開口部の縁に当接した状態を維持する。この図１２（Ｄ）の状態とのとき、延設部４１は、図８（Ａ）に示す通り、先端を下方に向ける（姿勢ｔ２）。延設部４１の先端を再び前方に伸ばすときは、上と逆の手順で、延設部４１を操作すればよい。また、延設部４１の先端の向きについて、このような二段階（姿勢ｔ１，ｔ２）に限定するものではなく、例えば、周知のラチェット機構を採用することにより、更に、きめ細かな角度の調整を可能とすることができる。
【００２９】
但し、延設部４１の向きの変更が不要であれば、このような関節部４３を設けずに実施することも可能である。
この図６〜図１２に示す実施の形態について、特に言及しなかった事項については、図３〜図５及び図１・図２に示す実施の形態と同様である。
また、図１・図２、図３〜図５に示す実施の形態においても、このような関節部４３を設けて、延設部４の向きを変更できるものて実施してもよい（図示しない）。
【００３０】
図３〜図５、図６〜図１２に示す各実施の形態において、背もたれ部２に対して、座部１０を折り畳むことが可能なものとし、背もたれ部２自身は、その位置を変えないものとした。
一方、座部１０に対する背もたれ部２の角度を種々選択可能な、周知のリクライニング構造を備えるものとしても実施可能である。
【００３１】
図１３及び図１４へこのようなリクライニング構造を備えたマッサージ椅子の一実施の形態について説明する。図１３（Ａ）は当て板部材４と枕部材５とを背もたれ部２の正面に配置した状態の当該マッサージ椅子の正面図であり、図１３（Ｂ）はその側面図である。図１４（Ａ）はこのマッサージ椅子の一部切欠分解斜視図であり、図１４（Ｂ）はその要部斜視図である。
【００３２】
このマッサージ椅子では、基台部１に対して、当て板部材４と共に背もたれ部２も軸止される。この実施の形態では、基台部１（座部１０）に対する当て板部材４の回動の中心軸となる軸部１２によって、背もたれ部２も、基台部１（座部１０）に軸止される。即ち、軸部１２は、（基台部１に対する）当て板部材４の回動軸と、背もたれ部２の回動軸を兼ねる。
【００３３】
以下、更に詳しく、このマッサージ椅子について、説明する。
このマッサージ椅子の脚部１１は、図６〜図１２へ示す実施の形態と同様、湾曲した２本の棒状体１１ａ，１１ａを主要部とし、前桟１１ｂを備える。
棒状体１１ａ，１１ａには、夫々（図６〜図１２の実施の形態における固定用板部１４，１４に代え）軸止用片１８，１８が設けられている。軸止用片１８，１８の夫々には、左右に貫通する軸止用穴１８ａ，１８ａが設けられている。
図１４（Ａ）に示すように、この実施の形態においても、前述の軸止用金具１６（図２）の軸受用片１６ａ，１６ａが、座部１０の後部左右から、上方に突出する。また、背もたれ部２の正面側に突出する突出部２３ａが設けられ、この突出部２３ａに貫通穴２２が設けられている。
図３〜図５、図６〜図１２に示す実施の形態と同様の、軸部１２，１２が、軸止用片１８，１８の軸止用穴１８ａ，１８ａ及び座部１０の軸受用片１６ａ，１６ａの挿通用穴１７，１７に装着される。軸部１２，１２を、軸止用穴１８ａ，１８ａ及び挿通用穴１７，１７へ螺合するなどして、脚部１１に対して、向きが変わらないように、座部１０を固定する。また、この軸部１２，１２は、（背もたれ部２の脚部対応金具２３，２３の）上記突出部２３ａの貫通穴２２に遊嵌し、更に、軸部１２，１２の先端は、当て板部材４の留穴４２，４２に遊嵌する。
【００３４】
図１３（Ｂ）へ示す通り、座部１０の後端は、テーパ面１９備える。また、背もたれ部２は、座部１０よりも、下方に位置する下方張出し部２０を備える。上記のテーパ面１９は、図１３（Ｂ）において、背もたれ部２を、実線で示す起立した状態から、二点鎖線で示す後方へ傾斜させた（リクライニングの）状態に移行した際、背もたれ部２の下方張り出し部２０の正面と対面する。即ち、テーパ面１９は、最大限椅子後方に倒した背もたれ部２の、傾斜角度と対応する角度となるよう、（椅子の後方及び下方を臨む）傾斜した面である。
【００３５】
座部１０の下方には、図１３（Ｂ）に示す通り、リクライニングガイド装置６が設けられている。リクライニングガイド装置６は、後端が下方張出し部２０に軸止されたシリンダ部６０と、当該シリンダ部６０に受容され且つ先端が基台部１に軸止されたピストン部６１とを備える。
上記のシリンダ部６０の軸止については、上記下方張り出し部２０の正面に金属片などの冶具６２を設けて、当該冶具６２にピンなどの留め具にてシリンダ部６０の後端を軸止することにより行うことができる。
また、上記のピストン部６１の軸止についても、前桟１１ｂに金属片などの冶具６３を設けて、ピンなどの留め具にて、ピストン部６１の先端を軸止することにより行うことができる。但し、この実施の形態では、図１４（Ｂ）へ示すように、ピストン部６１は、シリンダ部６０内にて、その周方向について、回動することができるように、ピストン部６１先端が直接上記の冶具６３に軸止されていない。即ち、ピストン部６１先端には、金属製のキャップ６５が遊嵌しており、このキャップ６５が、上記冶具６３に軸止されている。
位置を変えるために、背もたれ部２を、軸部１２を中心として回動した際、当該背もたれ部２の角度の変化に伴って、ピストン部６１は、シリンダ部６０に対し伸縮する（摺動する）。
【００３６】
図１３（Ａ）及び図１４（Ｂ）に示す通り、上記ピストン部６１には、レバー６４が設けられている。このレバー６４は、上記の通り、シリンダ部６０に設けられたガイド溝６６内を通じてシリンダ部６０外部に突出している。
ガイド溝６６は、シリンダ部６０外周面から内周面に掛けて貫通する貫通部である。ガイド溝６６は、シリンダ部６０の軸方向（長手方向）に沿って真っ直ぐ伸びる変位ガイド部６６ａと、シリンダ部６０外周面において周方向に伸びる複数のロックガイド部６６ｂ…６６ｂとにて構成されている。ロックガイド部６６ｂ…６６ｂの夫々は、互いに間隔を開けて配置されている。具体的には、ロックガイド部６６ｂ…６６ｂの夫々は、背もたれ部２が採り得る角度に応じて、その際のピストン部６１の伸縮状況に対応する位置に設けられている。また、ロックガイド部６６ｂ…６６ｂの夫々は、変位ガイド部６６ａに繋がっている。
背もたれ部２の上記位置の変更に際して、利用者は、レバー６４を掴んで、当該レバー６４を、変位ガイド部６６ａ内に配置する。このとき、ピストン部６０は、レバー６４に妨げられることなく、伸縮することができる。また、このピストン部６１の伸縮に伴い、レバー６４は変位ガイド部６６ａの伸びる方向に沿って、変位ガイド部６６ａ内を摺動する。
そして、背もたれ部２を所望の位置に配置した際、利用者がレバー６４を回動することにより、対応する位置にあるロックガイド部６６ｂ内にレバー６４を入れる。ロックガイド部６６ｂ内にレバー６４が入ることにより、ピストン部６１のシリンダ部６０の軸方向に対する伸縮が規制され、背もたれ部２は、ピストン部６１と共に当該位置にロック（固定）される。背もたれ部２の位置（角度）を変更する場合、レバー６４を上記と逆方向に回動して、ロックガイド部６６ｂから変位ガイド部６６ａ内に、レバー６４を戻すことにより、ピストン部６１のロックを解除することができ、背もたれ部２の角度の変更が可能となる。
【００３７】
尚、後桟１１ｃを、背もたれ部２の当たりとして利用することにより、レバー６４の上記ロック機構と共に、背もたれ部２がそれ以上後方に開くのを規制することができる。
この実施の形態において、シリンダ部６０に対するピストン部６１の伸縮は、手動で行うものとした。この他、油圧などの流体圧を利用して、或いは機械的な周知の他の手段を用いて、スイッチ操作のみで自動的に行えるものとしても、実施可能である。その場合上記ロック機構を設けずに実施することができる。
【００３８】
図１３及び図１４に示す実施の形態において、他の実施の形態と異なり、当て板部材４は延設部を備えない。図１３に示す通り、この椅子では、背もたれ部２正面に当て板部材４を配置した際、背もたれ部２の正面側に垂下した枕部材５が当て板部材４の上方に位置する（枕部材５に当て板部材４が重ならない）。即ち、当て板部材４と枕部材５の双方によって背もたれ部２の正面全体を覆う。このようなレイアウトを可能とすることによって、機能面と共にデザイン面における斬新さを図り、装飾性を高めている。但し、他の実施の形態と同様、当て板部材４は、既述の延設部４１を備えるものとしても実施可能である。
この図１３及び図１４に示す実施の形態においても、特に言及しなかった事項については、上記各実施の形態と同様の構成を採るものである。
尚、上述の各実施の形態において、当て板部材４は、基台部１（座部１０又は脚部１１）に軸止されるものとしたが、この他、背もたれ部２に軸止されるものとしても実施可能である。
【図面の簡単な説明】
【００３９】
【図１】（Ａ）は本願発明の一実施の形態に係るマッサージ椅子について、当て板部材４を基台部１上面に配置した状態を示す全体斜視図であり、図１（Ｂ）は当て板部材４を背もたれ部２の正面に配置した状態を示す全体斜視図である。
【図２】図１に示すマッサージ椅子の要部分解斜視図である。
【図３】（Ａ）は他の実施の形態に係るマッサージ椅子について当て板部材４を基台部１上部に配置した状態を示す全体斜視図であり、（Ｂ）は当該マッサージ椅子について当て板部材４を基台部１上面から起こした状態を示す全体斜視図である。
【図４】（Ａ）は図３に示すマッサージ椅子について当て板部材４を背もたれ部２正面側に配置した状態を示す全体斜視図であり、（Ｂ）は図３（Ｂ）に示すマッサージ椅子の側面図である。
【図５】図３及び図４に示すマッサージ椅子の分解斜視図である。
【図６】（Ａ）は更に他の実施の形態に係るマッサージ椅子について当て板部材４を基台部１（座部１０）上部に配置した状態を示す全体斜視図であり、（Ｂ）は当該マッサージ椅子について当て板部材４を基台部１（座部１０）から起こした状態を示す当該椅子の全体斜視図である。
【図７】（Ａ）は図６に示すマッサージ椅子について当て板部材４を背もたれ部２の正面に配置した状態を示す上記椅子の全体斜視図であり、（Ｂ）はこのマッサージ椅子について当て板部材４と共に座部１０を背もたれ部２正面に畳んだ状態を示す全体側面図である。
【図８】（Ａ）は座部１０を背もたれ部２から開いた状態を示す当該椅子の全体側面図であり、（Ｂ）は当該椅子の要部分解斜視図である。
【図９】図６〜図８に示すマッサージ椅子の分解斜視図である。
【図１０】図６〜図９に示すマッサージ椅子について、未使用時に当該椅子を運搬或いは収納するのに適した状態とした全体側面図である。
【図１１】（Ａ）は図６〜図１０に示す実施の形態に係るマッサージ椅子について主として当て板部材４及びその延設部４１の芯材を示す斜視図であり、（Ｂ）はその要部分解斜視図である。
【図１２】（Ａ）〜（Ｄ）は、夫々、図１１（Ｂ）に示す延設部４１の芯材の、向きの変更状態を示す要部側面図である。
【図１３】（Ａ）はまた更に他の実施の形態に係るマッサージ椅子について当て板部材４を背もたれ部２正面に配置させると共に枕部材５も背もたれ部２の正面に配置した状態を示す正面図であり、（Ｂ）はその側面図である。
【図１４】（Ａ）は図１３に示すマッサージ椅子の一部切欠分解斜視図であり、（Ｂ）は当該マッサージ椅子の要部斜視図である。
【符号の説明】
【００４０】
１  基台部
２  背もたれ部
３  マッサージ手段
４  当て板部材
５  枕部材
【図１】
2005160824.tif 000003
【図２】
2005160824.tif 000004
【図３】
2005160824.tif 000005
【図４】
2005160824.tif 000006
【図５】
2005160824.tif 000007
【図６】
2005160824.tif 000008
【図７】
2005160824.tif 000009
【図８】
2005160824.tif 000010
【図９】
2005160824.tif 000011
【図１０】
2005160824.tif 000012
【図１１】
2005160824.tif 000013
【図１２】
2005160824.tif 000014
【図１３】
2005160824.tif 000015
【図１４】
2005160824.tif 000016